(57)【要約】      （修正有）【課題】消費者が容易にコンタクトレンズの発注ならびに受領をなしうる技術の提供【解決手段】GPSを備えた電子機器により発信された顧客からのコンタクトレンズ発注情報，および顧客が指定する配達先GPS情報を，コンタクトレンズ販売店舗が受信することにより，発注されたコンタクトレンズを配達先GPS情報に基づいて，販売店舗が配達者を選定し，配達者が顧客にコンタクトレンズを配達することを特徴とするコンタクトレンズ配達方法。本発明は，電子機器にインストールされたプログラム（アプリ）からコンタクトレンズの発注を行い，その発注情報にGPS情報を紐づけすることで，発注者の位置情報を把握し，配達を行う方法であり，コンタクトレンズの販売における新たなビジネスモデルを提供しうるものである。【選択図】図１
2018002380.tif 000002
【特許請求の範囲】
【請求項１】
GPSを備えた電子機器により発信された顧客からのコンタクトレンズ発注情報，および顧客が指定する配達先GPS情報を，コンタクトレンズ販売店舗が受信することにより，
発注されたコンタクトレンズを配達先GPS情報に基づいて，販売店舗が配達者を選定し，配達者が顧客にコンタクトレンズを配達することを特徴とするコンタクトレンズ配達方法
【請求項２】
請求項１のコンタクトレンズ配達方法が，
顧客が発注等を行うコンタクトレンズ発注プログラムと，
顧客からの発注情報の管理等を行うコンタクトレンズ販売店舗の管理プログラムと，
コンタクトレンズの配達を行う配達者のメッセンジャープログラムによりなされることを特徴とするコンタクトレンズ配達方法
【請求項３】
コンタクトレンズ発注プログラムが，
発注者の顧客情報を入力する顧客情報入力工程と，
発注するコンタクトレンズの情報を入力するコンタクトレンズ情報入力工程と，
GPS情報に基づき，コンタクトレンズの配達先を入力する配達先情報入力工程と，
コンタクトレンズ発注の確定とともに，顧客発注情報が送信される発注確定入力工程からなることを特徴とする請求項２に記載のコンタクトレンズ配達方法
【請求項４】
さらに，コンタクトレンズ発注プログラムが，
希望する配達時間を入力する配達希望時間帯入力工程を含むことを特徴とする請求項３に記載のコンタクトレンズ配達方法
【請求項５】
管理プログラムが，
顧客からの顧客情報，コンタクトレンズ情報，配達先GPS情報ないし配達希望時間情報を受信する顧客発注情報受信工程と，
配達者のGPS情報と配達状況情報を受信する受信する配達者情報受信工程と，
配達先GPS情報と配達者情報を比較し，最も適切な配達者を選定する配達者選定工程と，
選定された配達者に，顧客発注情報を送信する顧客発注情報送信工程とからなることを特徴とする請求項２から４に記載のコンタクトレンズ配達方法
【請求項６】
メッセンジャープログラムが，
コンタクトレンズの配達を行う顧客発注情報を，コンタクトレンズ販売店舗から受信する配達情報受信工程と，
コンタクトレンズの配達状況を入力し，販売店舗に送信する配達状況入力工程とからなることを特徴とする請求項２から５に記載のコンタクトレンズ配達方法
【請求項７】
請求項２ないし６に記載のコンタクトレンズ配達方法に用いられることを特徴とするコンタクトレンズ発注プログラム
【請求項８】
請求項２ないし６に記載のコンタクトレンズ配達方法に用いられることを特徴とする管理プログラム
【請求項９】
請求項２ないし６に記載のコンタクトレンズ配達方法に用いられることを特徴とするメッセンジャープログラム
【請求項１０】
請求項７ないし９に記載のプログラムがインストールされた電子機器端末
【発明の詳細な説明】
【技術分野】
【０００１】
本発明は，コンタクトレンズ出前システムに関する。より詳しく言うと本発明は，コンタクトレンズの即時発注・配達を可能とするコンタクトレンズ出前（配達）システムに関する。
【背景技術】
【０００２】
コンタクトレンズは，通常，医師の診断を受けた後，処方箋に従って販売される。また，この初回購入以降は，目に異常がない場合に限り，医師の診断を受けることなく，同様の処方でコンタクトレンズの購入を可能とする場合も多い。
このような事情もあって，初回購入後のコンタクトレンズの販売は，インターネットやコンタクトレンズの専門店舗を通じて，購入されることが通常である。このコンタクトレンズの購入について，より効率化するための技術が開示されている（特許文献１）。
【先行技術文献】
【特許文献】
【０００３】
【特許文献１】特開２０１６−０３５７２６
【発明の開示】
【発明が解決しようとする課題】
【０００４】
特許文献１には，店舗内におけるコンタクトレンズの販売手順を簡素化し，利便性を高める技術が開示されている。かかる技術は，店舗内POSシステムを用いて，より速やかにコンタクトレンズを購入しうる点において有用な技術である。
しかるに，店舗内に足を運んで，コンタクトレンズを購入しなければならない点において，利便性を欠くものである。
【０００５】
一方，インターネット通販においては，発注作業のみで，店舗に足を運ぶことなく購入が行える点において，店舗内販売よりも利便性は高い。
しかるに，通常，インターネット通販においては，届け先が実質的に自宅や職場に限定されることも多いため，出張先や旅行先などの配達先には，基本的には対応しえないものである。
【０００６】
すなわち，コンタクトレンズは，目の視力矯正を目的で使用するものであり，コンタクトレンズがないこと自体が，仕事や日常生活に支障をきたしてしまう。コンタクトレンズは，不測の事態で紛失することもよくあることであり，このことから，どのような状況または環境にあっても，容易にコンタクトレンズの発注ならびに受領をなしうることが，消費者にとって望ましい。
【０００７】
上記事情を背景として本発明では，消費者が容易にコンタクトレンズの発注ならびに受領をなしうる技術の開発を課題とする。
【課題を解決するための手段】
【０００８】
発明者らは，鋭意研究の結果，スマートフォンなどのGPSを備えた電子機器を用いたコンタクトレンズの発注・配達システムに着想した。
すなわち，電子機器にインストールされたプログラム（アプリ）からコンタクトレンズの発注を行い，その配達先情報にGPS情報を紐づけすることで，発注者の位置情報を把握しつつ，配達先へのコンタクトレンズの確実な配達を行う方法に着想したものである。
かかるコンタクトレンズ配達方法は，コンタクトレンズの販売における新たなビジネスモデルを提供しうるものであり，コンタクトレンズの即時発注・配達を可能とする，いわばコンタクトレンズの出前ともいえる方法として期待しうるものである。
【０００９】
本発明は，以下の構成からなる。
本発明の第一の構成は，GPSを備えた電子機器により発信された顧客からのコンタクトレンズ発注情報，および顧客が指定する配達先GPS情報を，コンタクトレンズ販売店舗が受信することにより，発注されたコンタクトレンズを配達先GPS情報に基づいて，販売店舗が配達者を選定し，配達者が顧客にコンタクトレンズを配達することを特徴とするコンタクトレンズ配達方法である。
【００１０】
本発明の第二の構成は，第一の構成に記載のコンタクトレンズ配達方法が，顧客が発注等を行うコンタクトレンズ発注プログラムと，顧客からの発注情報の管理等を行うコンタクトレンズ販売店舗の管理プログラムと，コンタクトレンズの配達を行う配達者のメッセンジャープログラムによりなされることを特徴とするコンタクトレンズ配達方法である。
本発明の第三の構成は，コンタクトレンズ発注プログラムが，発注者の顧客情報を入力する顧客情報入力工程と，発注するコンタクトレンズの情報を入力するコンタクトレンズ情報入力工程と，GPS情報に基づき，コンタクトレンズの配達先を入力する配達先情報入力工程と，コンタクトレンズ発注の確定とともに，顧客発注情報が送信される発注確定入力工程からなることを特徴とする第二の構成に記載のコンタクトレンズ配達方法である。
本発明の第四の構成は，さらに，コンタクトレンズ発注プログラムが，希望する配達時間を入力する配達希望時間帯入力工程を含むことを特徴とする第三の構成に記載のコンタクトレンズ配達方法である。
本発明の第五の構成は，管理プログラムが，顧客からの顧客情報，コンタクトレンズ情報，配達先GPS情報ないし配達希望時間情報を受信する顧客発注情報受信工程と，配達者のGPS情報と配達状況情報を受信する受信する配達者情報受信工程と，配達先GPS情報と配達者情報を比較し，最も適切な配達者を選定する配達者選定工程と，選定された配達者に，顧客発注情報を送信する顧客発注情報送信工程とからなることを特徴とする第二から第四の構成に記載のコンタクトレンズ配達方法である。
本発明の第六の構成は，メッセンジャープログラムが，コンタクトレンズの配達を行う顧客発注情報を，コンタクトレンズ販売店舗から受信する配達情報受信工程と，コンタクトレンズの配達状況を入力し，販売店舗に送信する配達状況入力工程とからなることを特徴とする第二から第五の構成に記載のコンタクトレンズ配達方法である。
【００１１】
本発明の第七の構成は，第二ないし第六の構成に記載のコンタクトレンズ配達方法に用いられることを特徴とするコンタクトレンズ発注プログラムである。
本発明の第八の構成は，第二ないし第六の構成に記載のコンタクトレンズ配達方法に用いられることを特徴とする管理プログラムである。
本発明の第九の構成は，第二ないし第六の構成に記載のコンタクトレンズ配達方法に用いられることを特徴とするメッセンジャープログラムである。
本発明の第十の構成は，第七ないし第九の構成に記載のプログラムがインストールされた電子機器端末である。
【発明の効果】
【００１２】
本発明により，容易にコンタクトレンズの発注ならびに受領をなしうる技術の提供が可能となった。
【図面の簡単な説明】
【００１３】
【図１】本発明のコンタクトレンズ配達方法全体のイメージ例を示した図
【図２】本発明のコンタクトレンズ配達方法全体のイメージ例を示した図
【図３】本発明のコンタクトレンズ配達方法の配達者選択のイメージ例を示した図
【図４】本発明のコンタクトレンズ配達方法の配達者選択のイメージ例を示した図
【図５】コンタクトレンズ発注プログラムの例を示した図
【図６】管理プログラムの例を示した図
【図７】メッセンジャープログラムの例を示した図
【発明を実施するための形態】
【００１４】
＜＜I．発明の概容＞＞
１．図１ないし図２に，本発明のコンタクトレンズ配達方法全体のイメージ図を示す。本発明においては，下記の三者が主体として関与するものである。
(1)  顧客（消費者）
(2)  コンタクトレンズ販売店舗（以下では，単に「販売店舗」という）
(3)  配達者
【００１５】
２．図１ないし図２においては，下記の一連の流れを示すものである。
(1)  GPS機能を備えたスマートフォンから，顧客が，コンタクトレンズの発注を行う。
(2)  発注情報が，サーバーを通じて，各販売店舗に送信される。
(3)  販売店舗は，顧客のGPS情報，ならびに配達者のGPS情報や配達状況情報などを基に，最適な配達者を選択し，顧客発注情報を送信する。
配達者が，発注されたコンタクトレンズを所持している場合は，発注情報に応じて，コンタクトレンズの配達を行う。また，発注されたコンタクトレンズを所持していない場合は，販売店舗にて受け取りを行った後，コンタクトレンズの配達を行う。
【００１６】
３．なお，販売店舗や配達者については，図のように複数により管理・配達等が行われることが好ましいが，必ずしも，これに限定する趣旨ではない。すなわち，市場性や地域性，交通利便性などの種々の観点から，サーバーと販売店舗を一体とした一つの販売店舗により，システムを構成してもよい。
４．配達者は，図１のように複数種のコンタクトレンズを所持しうる車を用いた形態や，図２のように，基本的には，販売店舗の求めに応じて発注されたコンタクトレンズを受け取り，これを顧客に届ける形態の自転車もしくはバイクのような形態など，種々の形態を採用することができる。
５．販売店舗による配達者の選択は，GPS情報や配達状況（配達中か，それとも配達が完了し販売店舗に向かう途中か）など，種々の情報を勘案し，最適な配達者を選択することができる。
【００１７】
６．図３ないし図４に，本発明のコンタクトレンズ配達方法の配達者選択の例をイメージ図として示す。図中，太線が，情報伝達の流れを示す。
(1)  図３においては，顧客からの顧客発注情報がサーバーを通じて全販売店舗に送信される。この後，配達先に最も近い該当する販売店舗が，最も適切な配達者を選択し，顧客発注情報の送信を行う。
(2)  図４においては，顧客からの顧客発注情報がサーバーに送信され，サーバーにより，配達先に最も近い販売店舗の選択が行われ，該当する販売店舗への顧客発注情報の送信が行われる。その後は同様に，販売店舗が，最も適切な配達者を選択し，顧客発注情報の送信を行う。
(3)  なお，これら発注から配達完了までの一連の情報については，適時，サーバーを通じて，販売店舗間において共有される（不図示）。
【００１８】
＜顧客（消費者）＞
１．顧客（消費者）は，コンタクトレンズの発注を行う主体である。
(1)  顧客は，GPS機能を持ったスマートフォンなどの電子機器で，コンタクトレンズの発注を行う。
(2)  発注を行う際は，顧客情報，コンタクトレンズ情報，配達先情報，これらの顧客発注情報を少なくともアプリから入力を行う。
【００１９】
２．顧客情報は，顧客に関して特定する情報として定義されるものであり，典型的には，顧客情報として，顧客の氏名，住所，年齢，性別，電話番号などが含まれる。
(1)  顧客情報は，顧客に関して特定するための情報である限り特に限定する必要はなく，種々の情報を含めることができる。また，必要に応じ，クレジットカード情報などの決済情報を含めてもかまわない。
(2)  顧客情報は，後述するコンタクトレンズ発注プログラム（アプリ）にて入力・記録したり，または，顧客IDなどにより識別し，ウェブなどアプリ以外の方法により登録を行い，アプリ上では顧客IDのみ入力を行い，サーバーを通じてダウンロードするなどしてもよい。
【００２０】
３．コンタクトレンズ情報は，度数や種類，個数などの発注を行うコンタクトレンズに関する情報として定義される。
(1)  コンタクトレンズ情報は，発注を行うコンタクトレンズに関する情報である限り特に限定する必要はなく，種々の情報を含めることができる。
(2)  コンタクトレンズ情報は，それぞれの情報をコンタクトレンズ発注プログラム（アプリ）から入力を行ってもよいし，これらの情報に関する過去の履歴情報を選択することにより，入力を行ってもよい。
【００２１】
４．配達先情報は，コンタクトレンズの配達先に関する情報である。
(1)  配達先情報は，コンタクトレンズの配達先に関する情報である限り特に限定する必要はなく，種々の情報を含めることができる。
(2)  典型的には，住所や建屋の名称などが挙げられるが，これらが不明な場合などは，GPS情報をそのまま配達先情報とすることができる。
すなわち，送られた配達先GPS情報（この場合，顧客GPS情報と同義）は，配達者に共有され，必要に応じ，常時モニターすることが可能である。配達者は，アプリ上で顧客GPS情報を確認することにより，配達先を認識することができる。
【００２２】
５．また，顧客は，発注を行う際に，希望する配達時間帯の入力を行うことができる。なお，これを入力しない場合は，即時発注ということで，販売店舗は，顧客に30分から60分以内をめどに，コンタクトレンズの配達が可能かどうかを判断し，発注を了承する，もしくは，難しい場合や遅延する場合は，その旨を，顧客に伝達するものである。
【００２３】
＜販売店舗＞
１．販売店舗は，販売を行うコンタクトレンズの保管や在庫管理，顧客発注情報の受信・管理，配達者への情報伝達・モニターなどを行う主体である。
(1)  販売店舗は，これらの役割を果たしうる限り特に限定する必要はなく，典型的には，実際のコンタクトレンズの店舗販売を行っている販売店舗がその役割を担うものであるが，これに限定する必要はない。
(2)  販売店舗は，後述する管理プログラムにより，顧客発注情報の受信，配達者GPS情報の受信，顧客発注情報の配達者への送信，顧客への配達状況の受信を行うとともに，これらの情報の管理・モニタリングならびに店舗間での情報共有を行い，適切な配達状況を構築するものである。
【００２４】
＜配達者＞
１．配達者は，発注されたコンタクトレンズの配達を行う主体である。
(1)  配達者は，コンタクトレンズの配達を行いうる限り特に限定する必要はなく，種々の形態を採用することができる。また，配達者は，顧客に直接コンタクトレンズを配達する役割のみならず，特定の受取先（販売店舗，コンビニエンスストア等）に，発注されたコンタクトレンズを配達する役割も果たしうるものである。
(2)  配達者は，バイクや自転車などの二輪車の形態を少なくとも含むことが好ましい。これにより，道路の渋滞に左右されずにコンタクトレンズの配達ができるため，顧客による発注後の速やかな配達が可能となり，本発明のコンタクトレンズ配達方法の利便性を向上させる効果を有する。
(3)  また，配達者については，地域性などを考慮し，車のみ，二輪車のみ，もしくはこれらを混合した形の形態を採用することができる。
【００２５】
２．配達者は，メッセンジャープログラムにより，販売店舗からの該当する顧客発注状況の受信を行い，これを受け，顧客へのコンタクトレンズの配達を行う。
(1)  配達者は，コンタクトレンズの配達状況を適時メッセンジャープログラムに入力し，販売店舗への送信を行う。
(2)  販売店舗は，配達状況の受信とともに，配達者のGPS情報のモニタリングを行い，これら情報を総括管理することにより，顧客発注情報に対する処理を行う。
(3)  また，配達者は，必要に応じ，アプリを通じて顧客の電子機器とのGPSマッチングを行う。すなわち，配達者は，アプリを通じて，配達先の顧客のGPSを把握することにより，コンタクトレンズの配達を行うことができる。
【００２６】
＜＜II．配達方法およびプログラム＞＞
１．本発明のコンタクトレンズ配達方法は，GPSを備えた電子機器により発信された顧客からのコンタクトレンズ発注情報，および顧客が指定する配達先GPS情報を，コンタクトレンズ販売店舗が受信することにより，発注されたコンタクトレンズを配達先GPS情報に基づいて，販売店舗が配達者を選定し，配達者が顧客にコンタクトレンズを配達することを特徴とする。
２．本発明のコンタクトレンズ配達方法は，下記のプログラム（アプリ）を通じて，行うことができる。
(1)  コンタクトレンズ発注プログラム
(2)  コンタクトレンズ販売店舗の管理プログラム
(3)  メッセンジャープログラム
３．以下では，これらのプログラムについて，それぞれの工程を含め例示して説明を行うが，これらプログラムについては，それぞれの役割を果たす限り特に限定する必要はなく，例示する工程の変更ないし追加等を行ってもかまわない。
【００２７】
＜コンタクトレンズ発注プログラム（アプリ）＞
１．図５にコンタクトレンズ発注プログラムの例を示す。コンタクトレンズ発注プログラムは，典型的には，GPS機能を備えたスマートフォンなどの電子機器端末にインストールされ，用いられるものである。
２．コンタクトレンズ発注プログラムを起ち上げ，スタートすると，顧客情報入力工程（S11），コンタクトレンズ情報入力工程（S12），配達先情報入力工程（S13），配達時間帯情報入力工程（S14），発注確定入力工程（S15）の一連の工程を通じて，コンタクトレンズの発注を完了することができる。
【００２８】
３．顧客情報入力工程（S11）は，発注者の顧客情報を入力する工程である。
(1)  顧客情報入力工程は，顧客情報の入力が可能な限り特に限定する必要はなく，種々の方法ないしはインターフェイスにより行うことができる。
(2)  典型的には，入力項目として設定された空欄に，文字入力を行うなどにより，行うことができる。また，既に登録された，もしくは過去の履歴などから，これを引用し選択するなどして，入力を行ってもよい。
【００２９】
４．コンタクトレンズ情報入力工程（S12）は，発注を行うコンタクトレンズの情報を入力する工程である。
(1)  コンタクトレンズ情報入力工程は，発注を行うコンタクトレンズ情報の入力が可能な限り特に限定する必要はなく，種々の方法ないしはインターフェイスにより行うことができる。
(2)  典型的には，取り扱っているコンタクトレンズのメーカーや度数，種類，個数などをタブ式で選択させ，最後に，該当製品の表示を行い，これを確定するなどして，行えばよい。
【００３０】
５．配達先情報入力工程（S13）は，コンタクトレンズの配達先情報を入力する工程である。また，これと合わせて，もしくはバックグラウンド（発注者が意識しない形で）にて，顧客GPS情報を送るなどしてもよい。
(1)  配達先情報入力工程は，配達先情報の入力が可能な限り特に限定する必要はなく，種々の方法ないしはインターフェイスにより行うことができる。
(2)  典型的には，住所地の入力が挙げられるが，これと替えて又はこれと合わせて，顧客GPS情報の発信などにより，配達先を特定し，配達先情報として取り扱うこともできる。
(3)  これらに加え，販売店舗や特定の取引先（コンビニエンスストア等）を，配達先として選定することもできる。
【００３１】
６．配達時間帯情報入力工程（S14）は，配達を希望する配達時間帯の入力を行う工程である。
(1)  配達時間帯情報入力工程は，配達時間帯情報の入力が可能な限り特に限定する必要はなく，種々の方法ないしはインターフェイスにより行うことができる。
(2)  典型的には，複数の配達時間帯候補をタブにて選択するなどして入力することができる。
【００３２】
７．発注確定入力工程（S15）は，コンタクトレンズの発注の確定する工程である。合わせて，この発注確定により，顧客発注情報が，サーバーに送信される。
(1)  発注確定入力工程は，コンタクトレンズの発注確定が可能な限り特に限定する必要はなく，種々の方法ないしはインターフェイスにより行うことができる。
(2)  典型的には，これまで入力された一連の情報とともに，「確定する」ボタンなどを表示し，これをタップするなどして，入力を行えばよい。
【００３３】
＜管理プログラム＞
１．図６に管理プログラムの例を示す。管理プログラムは，典型的には，販売店舗に備えられたパソコンやタブレット端末などにインストールされ，用いられるものである。
２．管理プログラムを起ち上げ，スタートすると，顧客発注情報受信工程（S21），配達者情報受信工程（S22），配達者選定工程（S23），顧客発注情報送信工程（S24）の一連の工程を通じて，顧客からの発注情報の処理を完了することができる。
【００３４】
３．顧客発注情報受信工程（S21）は，顧客の電子機器端末から送信された顧客発注情報を受信する工程である。
(1)  顧客発注情報受信工程は，顧客発注情報の受信が可能である限り特に限定する必要はなく，種々の方法により受信を行うことができる。
(2)  典型的には，インターネットを通じて，顧客発注情報の受信を行えばよい。
【００３５】
４．配達者情報受信工程（S22）は，配達者のGPS情報ならびにコンタクトレンズ配達状況情報を受信する工程である。
(1)  配達者情報受信工程は，配達者のGPS情報ならびにコンタクトレンズ配達状況情報の受信が可能な限り特に限定する必要はなく，種々の方法により受信を行うことができる。
(2)  典型的には，インターネットを通じて，配達者情報の受信を行えばよい。
【００３６】
５．配達者選定工程（S23）は，受信した顧客発注情報ならびに配達者情報を基に，最も適切な配達者を選定する工程である。
(1)  配達者選定工程は，最も適切な配達者を選定しうる限り特に限定する必要はなく，種々の方法ないし種々の観点から選定を行うことができる。
(2)  配達者選定工程は，顧客発注情報に最も迅速に対応しうる観点から選択することができる。例えば，顧客の近くにおり，かつ，対応するコンタクトレンズを所持している配達者を配達者として選定するなどである。また，別の例として，既に配達が完了し，販売店舗に向かっている配達者を選定するなどである。
【００３７】
６．顧客発注情報送信工程（S24）は，選定された配達者に顧客発注情報を送信する工程である。
(1)  顧客発注情報送信工程は，顧客発注情報送信の配達者への送信が可能である限り特に限定する必要はなく，種々の方法で送信を行うことができる。
(2)  典型的には，インターネットを通じて，顧客発注情報の送信を行えばよい。
【００３８】
＜メッセンジャープログラム＞
１．図７にメッセンジャープログラムの例を示す。メッセンジャープログラムは，典型的には，配達者が所持するスマートフォンなどの電子機器端末にインストールされ，用いられるものである。
２．メッセンジャープログラムを起ち上げ，スタートすると，配達情報受信工程（S31），配達状況送信工程（S32）の一連の工程を通じて，顧客からの発注情報の処理を完了することができる。
【００３９】
３．配達情報受信工程（S31）は，販売店舗からの顧客発注情報を受信する工程である。
(1)  配達情報受信工程は，販売店舗からの顧客発注情報を受信しうる限り特に限定する必要はなく，種々の方法で受信を行うことができる。
(2)  典型的には，インターネットを通じて，顧客発注情報の受信を行えばよい。
(3)  なお，ここでの顧客発注情報は，販売店舗が顧客から直接受信した顧客発注情報と同一である必要はなく，情報管理の観点から，顧客へのコンタクトレンズ配達に必要な最低限の状況ないし置換した情報とすることができる。
４．配達状況送信工程（S32）は，配達を行っている状況に関する情報について，販売店舗に送信を行う工程である。
(1)  配達状況情報については，コンタクトレンズの配達に関連する情報である限り特に限定する必要はなく，「配達中」，「配達完了」，「配達完了し販売店舗に戻り中」など，種々の観点からの情報とすることができる。また，これらと合わせて，もしくは一部代替するなどして，配達者GPS情報を送信することができる。
(2)  配達状況送信工程については，配達状況情報の送信が可能である限り特に限定する必要はなく，種々の方法で送信を行うことができる。
(3)  典型的には，インターネットを通じて，配達状況情報の送信を行うことができる。
【００４０】
上記のとおり，本発明のコンタクトレンズ配達方法等について説明を行ってきたが，本発明の配達対象は，コンタクトレンズに限定されず，もしくはこれに替わって，配達者による配達が可能なあらゆる物品に適用することができる。かかる場合，上記発明において，「コンタクトレンズ」を，「物品」と替えて，適用することができる。
【００４１】
すなわち物品を対象とする発明の第一の構成は，GPSを備えた電子機器により発信された顧客からの物品発注情報，および顧客が指定する配達先GPS情報を，物品販売店舗が受信することにより，発注された物品を配達先GPS情報に基づいて，販売店舗が配達者を選定し，配達者が顧客に物品を配達することを特徴とする物品配達方法である。
物品を対象とする発明の第二の構成は，第一の構成に記載の物品配達方法が，顧客が発注等を行う物品発注プログラムと，顧客からの発注情報の管理等を行う物品販売店舗の管理プログラムと，物品の配達を行う配達者のメッセンジャープログラムによりなされることを特徴とする物品配達方法である。
物品を対象とする発明の第三の構成は，物品発注プログラムが，発注者の顧客情報を入力する顧客情報入力工程と，発注する物品の情報を入力する物品情報入力工程と，GPS情報に基づき，物品の配達先を入力する配達先情報入力工程と，物品発注の確定とともに，顧客発注情報が送信される発注確定入力工程からなることを特徴とする第二の構成に記載の物品配達方法である。
物品を対象とする発明の第四の構成は，さらに，物品発注プログラムが，希望する配達時間を入力する配達希望時間帯入力工程を含むことを特徴とする第三の構成に記載の物品配達方法である。
物品を対象とする発明の第五の構成は，管理プログラムが，顧客からの顧客情報，物品情報，配達先GPS情報ないし配達希望時間情報を受信する顧客発注情報受信工程と，配達者のGPS情報と配達状況情報を受信する受信する配達者情報受信工程と，配達先GPS情報と配達者情報を比較し，最も適切な配達者を選定する配達者選定工程と，選定された配達者に，顧客発注情報を送信する顧客発注情報送信工程とからなることを特徴とする第二から第四の構成に記載の物品配達方法である。
物品を対象とする発明の第六の構成は，メッセンジャープログラムが，物品の配達を行う顧客発注情報を，物品販売店舗から受信する配達情報受信工程と，物品の配達状況を入力し，販売店舗に送信する配達状況入力工程とからなることを特徴とする第二から第五の構成に記載の物品配達方法である。
物品を対象とする発明の第七の構成は，第二ないし第六の構成に記載の物品配達方法に用いられることを特徴とする物品発注プログラムである。
物品を対象とする発明の第八の構成は，第二ないし第六の構成に記載の物品配達方法に用いられることを特徴とする管理プログラムである。
物品を対象とする発明の第九の構成は，第二ないし第六の構成に記載の物品配達方法に用いられることを特徴とするメッセンジャープログラムである。
物品を対象とする発明の第十の構成は，第七ないし第九の構成に記載のプログラムがインストールされた電子機器端末である。
【図１】
2018002380.tif 000003
【図２】
2018002380.tif 000004
【図３】
2018002380.tif 000005
【図４】
2018002380.tif 000006
【図５】
2018002380.tif 000007
【図６】
2018002380.tif 000008
【図７】
2018002380.tif 000009